(57)【要約】【課題】二次電池パックを工具本体に接続した状態のままで保管したとしても、二次電池パックの回路部の電力消費を抑制することができる電動工具を提供する。【解決手段】二次電池パック２は、電池本体５の状態を監視するための回路部７を備えている。回路部７は、消費電力が相対的に小さいスリープモードと消費電力が相対的に大きい作動モードとを備え、二次電池パック２が非接続の状態、及び、二次電池パック２が工具本体１に接続された状態で工具本体１の作動スイッチ８がＯＦＦの状態ではスリープモードとなっていて、二次電池パック２が工具本体１に接続された状態で工具本体１の作動スイッチ８がＯＮの状態になるとスリープモードから作動モードに切り替わる。【選択図】図９
2016201889.tif 000002
【特許請求の範囲】
【請求項１】
工具本体と、該工具本体及び充電器に複数の端子を介して着脱自在に接続可能な二次電池パックとを備え、該二次電池パックは、電池本体と、該電池本体の状態を監視するための回路部とを備えている電動工具であって、
回路部は、消費電力が相対的に小さいスリープモードと消費電力が相対的に大きい作動モードとを備え、
回路部は、二次電池パックが非接続の状態、及び、二次電池パックが工具本体に接続された状態で工具本体の作動スイッチがＯＦＦの状態ではスリープモードとなっていて、二次電池パックが工具本体に接続された状態で工具本体の作動スイッチがＯＮの状態になるとスリープモードから作動モードに切り替わるように構成されている
ことを特徴とする電動工具。
【請求項２】
回路部は、二次電池パックが充電器に接続されるとスリープモードから作動モードに切り替わる請求項１記載の電動工具。
【請求項３】
二次電池パックは、工具本体に対する接離方向である前後方向に並んで配置された手前側のパック側端子と奥側のパック側端子とを備え、
手前側のパック側端子は充電器の充電側端子に接続される端子であり、工具本体の本体側端子は、手前側のパック側端子に接続されることなく手前側のパック側端子を通過して奥側のパック側端子に接続され、
回路部は、奥側のパック側端子を介して工具本体から切り替え信号を受けることにより、スリープモードから作動モードに切り替わる請求項１又は２記載の電動工具。
【請求項４】
二次電池パックは、充電器との接続を確認するための連結確認用のパック側端子を備え、充電器の充電側端子が連結確認用のパック側端子に接続されることにより、回路部は、スリープモードから作動モードに切り替わり、工具本体の本体側端子は、二次電池パックの連結確認用のパック側端子には接続されない請求項３記載の電動工具。
【発明の詳細な説明】
【技術分野】
【０００１】
本発明は、着脱自在な二次電池パックを備えた電動工具に関する。
【背景技術】
【０００２】
二次電池パックは、その電池本体の電圧や温度を監視するための回路部を備えている。該回路部は、電池本体を電源として作動する。そのため、電動工具の工具本体に連結されていない状態であっても電力を消費する。かかる問題に対して、下記特許文献１では、二次電池パックが工具本体に接続されていない場合には回路部への電源供給を停止する構成が提案されている。また、本出願人も下記特許文献２のように、二次電池パックが工具本体や充電器に接続されていない状態では回路部がスリープモードとなり、二次電池パックが工具本体や充電器に接続されると回路部が作動モードに切り替わる構成について提案している。
【０００３】
しかしながら、二次電池パックを工具本体に接続した状態のまま保管していると、回路部が作動モードになっているため消費電力が大きいという問題がある。かかる二次電池パックの回路部の電力消費を抑制するためには、工具使用後に二次電池パックを工具本体から取り外さなければならないが、二次電池パックを取り外す作業が発生するため面倒である。
【先行技術文献】
【特許文献】
【０００４】
【特許文献１】特開平１０−２８３３４号公報
【特許文献２】特開２０１３−２４６９１６号公報
【発明の概要】
【発明が解決しようとする課題】
【０００５】
それゆえに本発明は上記従来の問題点に鑑みてなされ、二次電池パックを工具本体に接続した状態のままで保管しても、二次電池パックの回路部の電力消費を抑制することができる電動工具を提供することを課題とする。
【課題を解決するための手段】
【０００６】
本発明は上記課題を解決すべくなされたものであって、本発明に係る電動工具は、工具本体と、該工具本体及び充電器に複数の端子を介して着脱自在に接続可能な二次電池パックとを備え、該二次電池パックは、電池本体と、該電池本体の状態を監視するための回路部とを備えている電動工具であって、回路部は、消費電力が相対的に小さいスリープモードと消費電力が相対的に大きい作動モードとを備え、回路部は、二次電池パックが非接続の状態、及び、二次電池パックが工具本体に接続された状態で工具本体の作動スイッチがＯＦＦの状態ではスリープモードとなっていて、二次電池パックが工具本体に接続された状態で工具本体の作動スイッチがＯＮの状態になるとスリープモードから作動モードに切り替わるように構成されていることを特徴とする。
【０００７】
該構成の電動工具にあっては、二次電池パックが工具本体や充電器に接続されていない状態では、その回路部がスリープモードになっていて消費電力が小さい。また、二次電池パックを工具本体に接続しても、工具本体を作動させるための作動スイッチをＯＮにせずにＯＦＦの状態では、回路部はそのままスリープモードを維持する。そして、二次電池パックが工具本体に接続された状態で工具本体の作動スイッチをＯＮの状態にすると回路部はスリープモードから作動モードへと切り替わり、電池本体の状態を監視する。
【０００８】
特に、回路部は、二次電池パックが充電器に接続されるとスリープモードから作動モードに切り替わることが好ましい。充電器へは充電の目的で二次電池パックが接続されるため、充電器に接続されることで回路部がスリープモードから作動モードに切り替わると直ちに充電を開始することができ、電池本体も監視できるため便利である。また、充電器への接続後に別途のスイッチ操作等が不要であり、充電作業が煩雑にならなくて済む。
【０００９】
また、二次電池パックは、工具本体に対する接離方向である前後方向に並んで配置された手前側のパック側端子と奥側のパック側端子とを備え、手前側のパック側端子は充電器の充電側端子に接続される端子であり、工具本体の本体側端子は、手前側のパック側端子に接続されることなく手前側のパック側端子を通過して奥側のパック側端子に接続され、回路部は、奥側のパック側端子を介して工具本体から切り替え信号を受けることにより、スリープモードから作動モードに切り替わることが好ましい。パック側端子を前後に並べて配置することにより、左右方向の寸法を増加することなく多くの端子を配置することができる。そして、その奥側のパック側端子を介して切り替え信号を受ける構成とすると、回路部の回路構成や端子の配置が容易になる。
【００１０】
更に、二次電池パックは、充電器との接続を確認するための連結確認用のパック側端子を備え、充電器の充電側端子が連結確認用のパック側端子に接続されることにより、回路部は、スリープモードから作動モードに切り替わり、工具本体の本体側端子は、二次電池パックの連結確認用のパック側端子には接続されないことが好ましい。このような連結確認用のパック側端子を設けると共に工具本体の本体側端子が連結確認用のパック側端子には接続されないようにすることで、充電器への接続と工具本体への接続で、モードの切り替えを容易にコントロールできる。
【発明の効果】
【００１１】
以上のように、二次電池パックを工具本体に接続した状態のままで保管しても、回路部は消費電力の小さいスリープモードを維持するので、二次電池パックの回路部の電力消費を抑制することができ、従って、使用後にその都度二次電池パックを工具本体から取り外さなくて済む。
【図面の簡単な説明】
【００１２】
【図１】本発明の一実施形態における電動工具の二次電池パックの端子と工具本体の端子の接続状態を示す要部平面図。
【図２】同電動工具の二次電池パックの端子と工具本体の端子の接続状態を示す要部正面図。
【図３】図１のＡ−Ａ断面図。
【図４】同電動工具の二次電池パックの端子と工具本体の端子の離反状態を示す要部平面図。
【図５】（ａ）乃至（ｄ）は同電動工具の二次電池パックの端子と工具本体の端子の対応関係を示す正面図。
【図６】図５（ｂ）の拡大図であって、（ａ）は端子同士の離反状態を示し、（ｂ）は端子同士の接続状態を示す。
【図７】同電動工具の二次電池パックの端子と充電器の端子の離反状態を示す要部平面図。
【図８】（ａ）乃至（ｄ）は同電動工具の二次電池パックの端子と充電器の端子の対応関係を示す正面図。
【図９】同電動工具の二次電池パックと工具本体の接続状態を示す概略回路図。
【図１０】同電動工具の二次電池パックと充電器の接続状態を示す概略回路図。
【図１１】同電動工具の二次電池パックと従来の電動工具の工具本体の接続状態を示す概略回路図。
【図１２】同電動工具の二次電池パックの端子と従来の電動工具の工具本体の端子の離反状態を示す要部平面図。
【図１３】（ａ）乃至（ｄ）は同電動工具の二次電池パックの端子と従来の電動工具の工具本体の端子の対応関係を示す正面図。
【図１４】本発明の他の実施形態における電動工具の二次電池パックの端子と工具本体の端子の接続状態を示す図６に対応した正面図であって、（ａ）は端子同士の離反状態を示し、（ｂ）は端子同士の接続状態を示す。
【発明を実施するための形態】
【００１３】
以下、本発明の一実施形態にかかる電動工具について図１乃至図１３を参酌しつつ説明する。本実施形態における電動工具は、図１乃至図４に示すように、工具本体１と、該工具本体１に前後方向に沿ってスライドすることにより着脱自在に接続される二次電池パック２とを備えている。尚、各図において、工具本体１はその端子の周辺部分のみを図示し、二次電池パック２は図示しない上蓋を取り外した状態の下側部分のみを図示している。二次電池パック２は、工具本体１と同様に充電器３にも前後方向に沿ってスライドすることにより着脱自在に接続される。充電器３についてもその端子の周辺部分のみを図示している。図中、矢印Ｘ１で示す方向が接続方向であり、矢印Ｘ２で示す方向が離反方向であり、接続方向及び離反方向にスライドさせて接続、離反される。この接続方向及び離反方向（合わせて接離方向と呼ぶこともある）を前後方向とし、その前後方向に対して直交する方向であって、端子の並設方向を左右方向とする。図中、符号Ｙで示している方向が左右方向である。また、符号Ｚで示している方向が上下方向である。
【００１４】
工具本体１と二次電池パック２並びに充電器３は互いに接続可能な端子を複数備えている。工具本体１の端子を本体側端子と、二次電池パック２の端子をパック側端子と、充電器３の端子を充電側端子と称することにする。また、パック側端子は雌側であり、本体側端子と充電側端子は何れも雄側である。二次電池パック２は、図３のようにハウジング４に電池本体５が内蔵されており、回路基板６を介してパック側端子と電気的に接続されている。該回路基板６にパック側端子が取り付けられて上方に突出している。また回路基板６には、電池本体５の電圧や温度等の状況を監視するための回路部７（保護回路、図９参照）が設けられている。
【００１５】
図９に二次電池パック２と工具本体１の接続状態の回路図を示し、図１０に二次電池パック２と充電器３の接続状態を示している。二次電池パック２は第一乃至第六のパック側端子２１，２２，２３，２４，２５，２６を備え、工具本体１は第一乃至第四の本体側端子１１，１２，１３，１４を備え、充電器３は第一乃至第三の充電側端子３１，３２，３３を備えている。第一のパック側端子２１は充放電用プラス端子、第二のパック側端子２２は充電器３との接続を確認するための連結確認用端子、第三のパック側端子２３は電池本体５の電圧や温度等の状態を表す監視信号を送るための監視信号用端子、第四のパック側端子２４は充電用マイナス端子、第五のパック側端子２５は回路部７のモードを切り替えるための切り替え信号用端子、第六のパック側端子２６は放電用マイナス端子である。
【００１６】
まず、図９に示しているように、二次電池パック２と工具本体１との接続について説明する。第一のパック側端子２１は第一の本体側端子１１と、第三のパック側端子２３は第二の本体側端子１２と、第五のパック側端子２５は第三の本体側端子１３と、第六のパック側端子２６は第四の本体側端子１４とそれぞれ接続される。その一方、第二のパック側端子２２と第四のパック側端子２４には本体側端子は接続されない。
【００１７】
回路部７は、消費電力が相対的に小さいスリープモードと消費電力が相対的に大きい作動モードとを備えており、非接続状態ではスリープモードになっている。即ち、回路部７は、工具本体１に接続される前の状態ではスリープモードになっており、二次電池パック２が工具本体１に接続された状態においても、工具本体１を作動させるための作動スイッチ８がＯＦＦの状態では、そのままスリープモードを維持する。作動スイッチ８がＯＮの状態になると、工具本体１の本体回路部９のマイコン（図示省略）が起動して、工具本体１のモータ（図示省略）を作動させる前に、第三の本体側端子１３から第五のパック側端子２５に切り替え信号を送る。第五のパック側端子２５に切り替え信号が送られると、二次電池パック２の回路部７はスリープモードを解除して作動モードとなる。
【００１８】
具体例を挙げると、二次電池パック２を工具本体１に接続した状態であって作動スイッチ８がＯＦＦの状態では、第三の本体側端子１３及びそれに接続されている第五のパック側端子２５はオープンとなっている。そして、作動スイッチ８がＯＮになると、工具本体１の本体回路部９のマイコン（図示省略）がＨｉ信号を出力し、それにより第三の本体側端子１３の電位が第一の本体側端子１１と同じ電位になる。それに伴って第三の本体側端子１３に接続されている第五のパック側端子２５の電位も第一のパック側端子２１と同じ電位になり、それによって回路部７のマイコンのスリープモードが解除されて回路部７のマイコンが作動モードに切り替わる。
【００１９】
二次電池パック２の回路部７が作動モードに切り替わると、二次電池パック２の回路部７のマイコンが動作を開始し、電池本体５を保護する保護機能が働き、第三のパック側端子２３と第二の本体側端子１２とを介して二次電池パック２の回路部７から工具本体１の本体回路部９へと、電池本体５の状態（電圧や温度）を表す監視信号が送られる。工具本体１の作動スイッチ８をＯＦＦにすると、第三の本体側端子１３と第五のパック側端子２５がオープンとなって、二次電池パック２の回路部７のマイコンはスリープモードに切り替わる。
【００２０】
次に、図１０に示しているように、二次電池パック２と充電器３との接続について説明する。二次電池パック２を充電器３に接続すると、第一のパック側端子２１及び第二のパック側端子２２が何れも第一の充電側端子３１と接続され、第三のパック側端子２３は第二の充電側端子３２と接続され、第四のパック側端子２４は第三の充電側端子３３と接続される。その一方、第五のパック側端子２５と第六のパック側端子２６には充電側端子は接続されない。
【００２１】
上述したように二次電池パック２の回路部７は工具本体１や充電器３に接続されていない非接続の状態ではスリープモードとなっている。そして、二次電池パック２が充電器３に接続されると、連結確認用端子である第二のパック側端子２２が第一の充電側端子３１と接続されることにより、第一の充電側端子３１から第二のパック側端子２２に信号が送られて二次電池パック２の回路部７はスリープモードを解除して作動モードに切り替わる。具体的には、第二のパック側端子２２が第一のパック側端子２１と同じ電位になることで、回路部７のマイコンのスリープモードが解除されて回路部７のマイコンが作動モードになる。従って、二次電池パック２が充電器３に接続されると、直ちに充電が開始されると共に、接続と同時に二次電池パック２の回路部７が作動モードに切り替わり、二次電池パック２の回路部７から第三のパック側端子２３と第二の充電側端子３２を介して充電器３に電池本体５の監視信号が送られる。
【００２２】
尚、本実施形態の二次電池パック２は従来の工具本体４０にも適用可能に構成されている。二次電池パック２を従来の工具本体４０に接続した場合の概略回路構成を図１１に示している。従来の工具本体４０の端子を旧本体側端子と称することにする。二次電池パック２を従来の工具本体４０に接続すると、第一のパック側端子２１及び第二のパック側端子２２が何れも第一の旧本体側端子４１と接続され、第三のパック側端子２３は第二の旧本体側端子４２と接続され、第六のパック側端子２６は第三の旧本体側端子４３と接続される。その一方、第四のパック側端子２４と第五のパック側端子２５には旧本体側端子は接続されない。
【００２３】
二次電池パック２の回路部７は非接続の状態ではスリープモードとなっている。そして、二次電池パック２が従来の工具本体４０に接続されると、連結確認用端子である第二のパック側端子２２が第一の旧本体側端子４１と接続されることにより、第一の旧本体側端子４１から第二のパック側端子２２に信号が送られて二次電池パック２の回路部７は作動モードに切り替わる。具体的には、第二のパック側端子２２が第一のパック側端子２１と同じ電位になることで、回路部７のマイコンが作動モードになる。従って、二次電池パック２が従来の工具本体４０に接続されると同時に二次電池パック２の回路部７は作動モードへと切り替わり、二次電池パック２の回路部７から第三のパック側端子２３と第二の旧本体側端子４２を介して従来の工具本体４０に電池本体５の監視信号が送られる。
【００２４】
次に、端子構造について説明する。図１及び図４に示すように、複数のパック側端子は平面視において左右方向に並んで配置されており、複数の本体側端子もパック側端子に対応して左右方向に並んで配置されている。具体的には、図１及び図４において、図中下側から順に、一列目には、第一のパック側端子２１と第二のパック側端子２２が同じ列で配置され、二列目には、第三のパック側端子２３が配置され、三列目には、第四のパック側端子２４と第五のパック側端子２５が同じ列で配置され、四列目には、第六のパック側端子２６が配置されている。その一列目には第一の本体側端子１１が対応し、二列目には第二の本体側端子１２が対応し、三列目には第三の本体側端子１３が対応し、四列目には第四の本体側端子１４が対応している。
【００２５】
図５に二次電池パック２と工具本体１の端子同士の対応関係を示している。図５（ａ）が四列目を、図５（ｂ）が三列目を、図５（ｃ）が二列目を、図５（ｄ）が一列目を示している。一列目に配置された第一のパック側端子２１と第二のパック側端子２２は、接触部５２の前後方向の位置が同じであるが、上下方向には互いの高さをずらして配置されている。何れが高くてもよいが、本実施形態では第一のパック側端子２１が下側となり第二のパック側端子２２が上側となるようにして配置されている。図９に示したように第一の本体側端子１１は第一のパック側端子２１に接続されるが第二のパック側端子２２には接続されない。そのため、図５（ｄ）のように、第一の本体側端子１１の先端部所定長さ領域は、上下方向の幅が狭い形状となっていて、且つ、下側にオフセットした形状とされており、第一の本体側端子１１は、上側に位置する第二のパック側端子２２には接触せずに下側に位置する第一のパック側端子２１のみに接触するように構成されている。
【００２６】
第三のパック側端子２３と第六のパック側端子２６は例えば同一形状とされ、それらに接続される第二の本体側端子１２と第四の本体側端子１４も例えば互いに同一形状とされる。第二の本体側端子１２と第四の本体側端子１４は、図５（ｃ）及び（ａ）のように、上下方向の幅が広い。
【００２７】
三列目に配置された第四のパック側端子２４と第五のパック側端子２５は、上下方向に接触部５２の互いの高さをずらしながら前後方向に並んで配置されており、何れが前側（手前側）であってもよいが、本実施形態では、第四のパック側端子２４が前側に配置され、第五のパック側端子２５が後側（奥側）に配置されている。また、何れが高くてもよいが、本実施形態では、第四のパック側端子２４が高く、第五のパック側端子２５が低い。図９に示したように第三の本体側端子１３は、第五のパック側端子２５に接続されるが、第四のパック側端子２４には接続されない。そのため、図５（ｂ）及びそれを拡大した図６（ａ）のように、第三の本体側端子１３は、その先端部所定長さ領域において上下方向の幅が狭く、且つ、下側にオフセットした形状とされており、上側且つ前側に位置する第四のパック側端子２４には接触せずに、下側且つ後側に位置する第五のパック側端子２５のみに接触するように構成されている。図６（ｂ）に二点鎖線で第三の本体側端子１３を示しているが、二次電池パック２が工具本体１に接続されると、第三の本体側端子１３は、第四のパック側端子２４に接続されることなくそれを通過して第五のパック側端子２５に接続される。従って、第三の本体側端子１３は、第四のパック側端子２４を通過して第五のパック側端子２５まで到達できるように長く形成されており、上述した第一の本体側端子１１よりも前側に長く延びている。尚、第四のパック側端子２４は、第三の本体側端子１３がその間を通過できるように幅広の間隔が開けられて上下方向に延びる左右一対の柱部５０と、該柱部５０の上端部から後方に向けて延びていてその一部が幅狭となった左右一対の梁部５１とを備え、梁部５１において幅狭となった箇所が接触部５２（端子）となっていて、その接触部５２に後述する第三の充電側端子３３が左右両側から挟み込まれて接触する。このようにパック側端子は柱部５０と梁部５１とを備えた逆Ｌ字状に形成されている。また、パック側端子は、原則として、その梁部５１が柱部５０から後側に向けて延びた形状となっているが、第二のパック側端子２２や第五のパック側端子２５のように梁部５１が柱部５０から前側に向けて延びていてもよい。何れにしても、パック側端子は幅狭の接触部５２を有していてその接触部５２で本体側端子や充電側端子等と接触する。
【００２８】
次に、二次電池パック２と充電器３との関係について説明する。図７に示しているように、充電器３は、第一乃至第三の充電側端子３１，３２，３３が左右方向に並んで配置されている。尚、第三の充電側端子３３の隣に第四の充電側端子３４が配置されているが、この第四の充電側端子３４はダミーの端子であり、電気的な導通はなく、従って、第四の充電側端子３４が第六のパック側端子２６に物理的に接触しても電気的には導通されない。図８に二次電池パック２と充電器３の端子同士の対応関係を示している。図８（ａ）が四列目を、図８（ｂ）が三列目を、図８（ｃ）が二列目を、図８（ｄ）が一列目を示している。上述したように第四の充電側端子３４はダミー端子であるため、図８（ａ）ではそれを破線で示している。第一乃至第四の充電側端子３１，３２，３３，３４は何れも上下方向の幅が広い。従って、図８（ｄ）のように第一の充電側端子３１は第一のパック側端子２１と第二のパック側端子２２の双方に接続される。図８（ｃ）のように第二の充電側端子３２は第三のパック側端子２３に接続される。また、図８（ｂ）のように第三の充電側端子３３は前側に位置する第四のパック側端子２４には接続されるもののその奥側に位置する第五のパック側端子２５には到達できず、従って、第五のパック側端子２５には接続されない。図８（ａ）のようにダミー端子である第四の充電側端子３４は第六のパック側端子２６に物理的には接触するが電気的には導通されない。勿論、ダミー端子である第四の充電側端子３４は省略してもよい。
【００２９】
尚、二次電池パック２と従来の工具本体４０との関係についても説明する。図１２に示しているように、従来の工具本体４０は、第一乃至第三の旧本体側端子４１，４２，４３が左右方向に並んで配置されている。但し、第二の旧本体側端子４２と第三の旧本体側端子４３との間は間隔が広く開けられており、第一の旧本体側端子４１が一列目に対応し、第二の旧本体側端子４２が二列目に対応しているが、第三の旧本体側端子４３は四列目に対応している。図１３に二次電池パック２と従来の工具本体４０の端子同士の対応関係を示している。図１３（ａ）が四列目を、図１３（ｂ）が三列目を、図１３（ｃ）が二列目を、図１３（ｄ）が一列目を示している。第一乃至第三の旧本体側端子４１，４２，４３は何れも上下方向の幅が広い。従って、図１３（ｄ）のように第一の旧本体側端子４１は第一のパック側端子２１と第二のパック側端子２２の双方に接続される。図１３（ｃ）のように第二の旧本体側端子４２は第三のパック側端子２３に接続される。また、図１３（ｂ）のように、三列目である第四のパック側端子２４と第五のパック側端子２５に対応した旧本体側端子は存在しないので、それらには何れも旧本体側端子は接続されない。そして、図１３（ａ）のように第三の旧本体側端子４３は第六のパック側端子２６に接続される。
【００３０】
以上のように構成された電動工具にあっては、二次電池パック２が工具本体１や充電器３に接続されていない非接続の状態では、その回路部７がスリープモードになっていて消費電力が小さい。また、二次電池パック２を工具本体１に接続しても、工具本体１の作動スイッチ８がＯＦＦの状態では、回路部７はそのままスリープモードを維持する。従って、二次電池パック２を工具本体１に接続した状態のままで保管しても、回路部７は消費電力の小さいスリープモードを維持し、二次電池パック２の回路部７の電力消費を抑制することができる。そして、二次電池パック２を工具本体１に接続した状態のまま保管しても二次電池パック２の回路部７の消費電力が小さいので、使用後にその都度二次電池パック２を工具本体１から取り外さなくて済む。一方、工具本体１の作動スイッチ８がＯＮの状態になると回路部７が作動モードに自動的に切り替わるので、工具使用時には電池本体５の状態を常に監視することができ、電池本体５の過度の温度上昇や過放電等を防止することができる。特に、工具本体１の作動スイッチ８がＯＮの状態になると、工具本体１のモータが作動する前に回路部７が作動モードに自動的に切り替わるので安全である。
【００３１】
また、二次電池パック２が充電器３に接続されると回路部７が直ちにスリープモードから作動モードに切り替わるので、直ちに充電を開始することができる。また、接続と同時に直ちに電池本体５の過充電等を監視でき、充電器３を別途操作する必要なく監視スタートできるので、充電作業が煩雑にならなくて済む。更に、二次電池パック２は従来の工具本体４０にも使用可能であって、二次電池パック２が従来の工具本体４０に接続されると回路部７が作動モードに切り替わるので、従来の工具本体４０を使用する際にも電池本体５の状態を監視することができる。
【００３２】
また、三列目において第四のパック側端子２４の後側に、切り替え信号用端子である第五のパック側端子２５を第四のパック側端子２４と前後方向に並んで配置しているので、二次電池パック２の左右方向の寸法を増加することなく端子数を増加することができ、第五のパック側端子２５を追加配置することができる。そして、その追加した第五のパック側端子２５に切り替え信号を送る構成とすることで、二次電池パック２の回路部７の回路構成や工具本体１の本体回路部９の回路構成が容易になる。
【００３３】
また更に、連結確認用端子として第二のパック側端子２２を設けておく一方、その第二のパック側端子２２には第一の本体側端子１１が接続されない構成とすることで、二次電池パック２が充電器３に接続された場合には連結確認用端子である第二のパック側端子２２に第一の充電側端子３１を接続させることにより接続状態を容易に確認して回路部７を作動モードに切り替えることができる。また、従来の工具本体４０との接続にも容易に対応できる。
【００３４】
尚、本実施形態では、図６のように、前側に位置する第四のパック側端子２４が高く、後側に位置する第五のパック側端子２５が低く構成されていたが、図１４のように逆に、前側に位置する第四のパック側端子２４が低く、後側に位置する第五のパック側端子２５が高く構成されていてもよい。その場合には、第三の本体側端子１３は下側ではなく上側にオフセットした幅狭の形状として、図１４（ｂ）のように第三の本体側端子１３が第四のパック側端子２４の上側を接触することなく通過して第五のパック側端子２５に接続できるようにする。また、図１４のように、例えば第五のパック側端子２５を、柱部５０を前後に有してその上端部同士を梁部５１が連結するような門型に形成してもよい。第五のパック側端子２５を門型に形成することにより強度が向上する。尚、他のパック側端子を門型にしてもよく、例えば、第四のパック側端子２４を門型として、第五のパック側端子２５を逆Ｌ字状に形成してもよい。
【符号の説明】
【００３５】
１    工具本体
２    二次電池パック
３    充電器
４    ハウジング
５    電池本体
６    回路基板
７    回路部
８    作動スイッチ
９    本体回路部
１１    第一の本体側端子
１２    第二の本体側端子
１３    第三の本体側端子
１４    第四の本体側端子
２１    第一のパック側端子
２２    第二のパック側端子（連結確認用のパック側端子）
２３    第三のパック側端子
２４    第四のパック側端子（手前側のパック側端子）
２５    第五のパック側端子（奥側のパック側端子）
２６    第六のパック側端子
３１    第一の充電側端子
３２    第二の充電側端子
３３    第三の充電側端子
３４    第四の充電側端子
４０    従来の工具本体
４１    第一の旧本体側端子
４２    第二の旧本体側端子
４３    第三の旧本体側端子
５０    柱部
５１    梁部
５２    接触部
【図１】
2016201889.tif 000003
【図２】
2016201889.tif 000004
【図３】
2016201889.tif 000005
【図４】
2016201889.tif 000006
【図５】
2016201889.tif 000007
【図６】
2016201889.tif 000008
【図７】
2016201889.tif 000009
【図８】
2016201889.tif 000010
【図９】
2016201889.tif 000011
【図１０】
2016201889.tif 000012
【図１１】
2016201889.tif 000013
【図１２】
2016201889.tif 000014
【図１３】
2016201889.tif 000015
【図１４】
2016201889.tif 000016